(57)【要約】      （修正有）【課題】市販のほとんどの自転車の何の改造も要さずに強固で安定的に装備させ、使用時には軽快で安全な屋根つき自転車となり、駐輪時には収納できるうえに、各種宣伝手段としての効果も期待できる自転車用屋根を提供する。【解決手段】乗員の上方及び前方を覆うシェードとこれを保持するフレームとを備える屋根であり、フレームが、曲率状の剛質部分と、変形自在でかつ可変長な可曲性部分から構成され、剛質部分は自転車のサドルレベルより上方から先がサドルの近傍後方を通りバックステーの下位部分を横切り、下端部分が第１の金具でダウンパイプに固定され、サドル近傍の中間領域が、シートポストが差し込まれているバックステー上端部に第２の金具により固定され、可曲性部分は風防部を先端に有し、ハンドル中央部位に立ち上がる第３の金具に揺動可能に連結されている。【選択図】図１
0003139173.tif 000002
【実用新案登録請求の範囲】
【請求項１】
乗員の上方及び前方を覆うシェードとこれを保持するフレームとを備え、自転車の車体に取り付けられる屋根において、前記フレームは、側面から見て曲率状をなす剛質部分と、これから延在して直線状から楕円状に変形自在でかつ長さも可変な可曲性部分から構成され、前記剛質部分は上端がサドルレベルより上方に位置し、それから先がサドルの近傍後方を通って下降し、バックステーの下位部分を横切り、ダウンパイプに下端部位が位置するように自転車に配され、前記下端部分が第１の金具でダウンパイプに固定され、サドル近傍の中間領域が、シートポストが差し込まれているバックステー上端部に角度調整自在な第２の金具により固定され、可曲性部分は風防部を先端に有し、該風防部先端中央部位がハンドル中央部位に立ち上がる第３の金具に揺動可能に連結されていることを特徴とする自転車用屋根。
【請求項２】
屋根は、剛質部分からハンドル方向に延在する可曲性部分にシェードを張った主屋根に加え、剛質部分の上端付近からリアキャリアの上方を覆う小面積のシェードを張った可曲性の補助屋根を有している請求項１に記載の自動車用屋根。
【請求項３】
フレームの剛質部分が左右２本のパイプを有し、前記左右パイプの先端から所要長さ下の部位まで補助パイプが平行状に添接固定されるとともに、左右のパイプ間を剛質横部材で連結しており、可曲性部分は腰が強く柔軟で可撓性に富む平行状の２本の骨を有し、前記骨は前記パイプに対し突出長さ調整自在に挿入されており、かつ前記補助パイプに、補助屋根用の腰が強く柔軟で可撓性に富む平行状の２本の骨が挿脱可能に取り付けられている請求項２に記載の自転車用屋根。
【請求項４】
第２の金具は、所定間隔で調整用穴を配した縦向き第１アームと、調整用の穴を所定間隔で有し、選択した穴を利用して第１アームにボルトで連結され、リアキャリア方向に延出するように横方向に延びる第２アームとを備え、前記第１アームの片側アーム部の調整穴がサドルロックを構成するロックボルト頭部下の軸に嵌められ、他側アーム部の調整穴がロックボルトと螺合下ハンドル付きナットに嵌められることで取り付けられ、第２アームはシートポストの両側方から延出し、端部プレートが背もたれ用横部材より下の左右パイプ材を結合した横プレートと当接し、ボルトナットで連結される請求項１または３に記載の自転車用屋根。
【請求項５】
第３の金具は、プレートを有しハンドル中央に固定されるハンドル固定部体と、上部付近がプレートに固定された軸状アーム部体からなっており、軸状アーム部体は、使用時に上方に引き出される入子式に伸縮可能な軸を有し、軸の上端部には、風防部の連結片を着脱自在に連結するための可動連結具を有している請求項１に記載の自転車用屋根。
【考案の詳細な説明】
【技術分野】
【０００１】
本考案は自転車用屋根の改良に関する。
【背景技術】
【０００２】
自転車は手軽な乗り物として古くから盛んに使用され、環境にやさしいことや健康増進に効果のあることからますます愛用が増える傾向にあるが、天候ことに雨降りや日差しが強いときに難渋する。雨傘や日傘があると都合がよいが、雨傘や日傘は片手で支持しなければならないのでハンドル操作が不安定になったり、風のある場合には吹き飛ばされる可能性があったり、前方の視界が妨げられるなどの問題がある。
【０００３】
こうしたことから、自転車用屋根が従来から種々提案されており、通常、日除けや雨除け用の面状部材を張った枠体からなっており、枠体を自転車のフレームに固定させている。
【０００４】
しかしながら、従来の自転車用屋根は、構造が複雑であったり、自転車側に加工を加えて特別な構造にしなければならなかったりする点、大きさやサイズの異なる自転車に装備させることが不可能あるいは困難であったりする点、自転車に装備した状態が不安定で風等により吹き飛ばされたり、破損したりする危険がある点、自転車に装備した状態で形状に優美さが乏しい点などの難点があり、実用化されているものがほとんどないのが実情である。
【特許文献１】特許第２７８７１９７号
【特許文献２】特開２００１−４８０７６号公報
【特許文献３】特開平８−１２７３７４号公報
【考案の開示】
【考案が解決しようとする課題】
【０００５】
本考案は前記のような問題点を解消するためになされたもので、その目的とするところは、自転車車体の何の改造や追加加工を要さずに市販のほとんどの自転車にしっかりと安定的に装備させることができ、使用時には自転車と一体感のある優美な形状を発現して軽快で安全な屋根つき自転車となり、駐輪時には邪魔にならないよう収納できるうえに、走行中および駐輪時に各種宣伝手段や案内手段等としての機能も発揮することができる自転車用屋根を提供することにある。
【課題を解決するための手段】
【０００６】
上記目的を達成するため本考案の自転車用屋根は、乗員の上方及び前方を覆うシェードとこれを保持するフレームとを備え、自転車の車体に取り付けられる屋根において、前記フレームは、側面から見て曲率状をなす剛質部分と、これから延在して直線状から楕円状に変形自在でかつ長さも可変な可曲性部分から構成され、前記剛質部分は上端がサドルレベルより上方に位置し、それから先がサドルの近傍後方を通って下降し、バックステーの下位部分を横切り、ダウンパイプに下端部位が位置するように自転車に配され、前記下端部分が第１の金具でダウンパイプに固定され、サドル近傍の中間領域が、シートポストが差し込まれているバックステー上端部に角度調整自在な第２の金具により固定され、可曲性部分は風防部を先端に有し、該風防部先端中央部位がハンドル中央部位に立ち上がる第３の金具に揺動可能に連結されていることを特徴としている。（請求項１）
【考案の効果】
【０００７】
本考案によるときには、屋根のフレームを強度を担う剛質部分と覆いとして機能する可曲性部分で構成し、剛質部分を車体のサドル背後位置からダウンパイプにいたるように配して、先端を第１の金具でダウンパイプに固定し、中間をバックステー上端部に第２の金具により固定しているので、自転車車体と一体化し、強風によって外れたり、変形したりしないきわめて強固で安定した屋根となる。
可曲性部分は直線状から楕円状に変形自在でかつ長さも可変であるので、駐輪時には長さを短く格納することができるとともに、使用時には乗員の座高などに応じた最適な大きさのアーチ屋根を自在に形成することができ、また、シェードに所望の文言や装飾を施すことにより、駐輪時に直線状に延在させれば「のぼり」や「捨て看板代替品」として効果的に機能させることができる。
また、可曲性部分は、先端の風防部先端中央部位がハンドル中央位置の上方に立ち上がる第３の金具に揺動可能に連結されるので、ハンドルが回動されて自転車の方向が転換されても屋根は自転車中心軸線から外れにくく、胸部から上に対する適切な覆い状態を形成することができ、しかも前方からの風に対して自在に変形して風圧を自動的に逃がすことができるので自転車の運転に余分な負荷をかけることが少ない。
【考案を実施するための最良の形態】
【０００８】
屋根は、剛質部分からハンドル方向に延在する可曲性部分にシェードを張った主屋根に加え、剛質部分の上端付近からリアキャリアの上方を覆う小面積のシェードを張った可曲性の補助屋根を有している。（請求項２）
これによれば、運転者と後方の同乗者あるいは買物かごを別々に覆って日除けや雨除けすることができ、また、大きなアーチ状の屋根と小さなアーチ状の屋根が背中合わせにあるユニークな形態となるのでよく目立ち、商品価値が高くなる。
【０００９】
フレームの剛質部分が左右２本のパイプを有し、前記左右パイプの先端から所要長さ下の部位まで補助パイプが平行状に添接固定されるとともに、左右のパイプ間を剛質横部材で連結しており、可曲性部分は腰が強く柔軟で可撓性に富む平行状の２本の骨を有し、前記骨は前記パイプに対し突出長さ調整自在に挿入されており、かつ前記補助パイプに、補助屋根用の腰が強く柔軟で可撓性に富む平行状の２本の骨が挿脱可能に取り付けられている。（請求項３）
これによれば、剛質部分が補強されるだけでなくて背もたれとして機能することが可能であり、しかも補強手段としての補助パイプを利用して小面積の補助屋根を挿脱可能に取り付けているので、運転者のみならず荷物台あるいはチャイルドシート側の同乗者の日除けや雨除けを行なうことができる。
【００１０】
好適には、第２の金具は、所定間隔で調整用穴を配した縦向き第１アームと、調整用の穴を所定間隔で有し、選択した穴を利用して第１アームにボルトで連結され、リアキャリア方向に延出するように横方向に延びる第２アームとを備え、前記第１アームの片側アーム部の調整穴がサドルロックを構成するロックボルト頭部下の軸に嵌められ、他側アーム部の調整穴がロックボルトと螺合下ハンドル付きナットに嵌められることで取り付けられ、第２アームはシートポストの両側方から延出し、端部プレートが背もたれ用横部材より下の左右パイプ材を結合した横プレートと当接し、ボルトナットで連結される。（請求項４）
【００１１】
これによれば、簡単な構造で対象の自転車の改造や特別な部品の取り付けなど構造の変更を全く要さず、取り付け対象の自転車のサイズが変化しても自在にフレームを取り付けることができ、特に第１アームがバックステーと平行に近い角度で縦に存し、調整穴を選択してサドルロックに取り付けるので、自転車使用者がサドルの高さを変化させてもフレームがサドルに衝突するようなことがない。
【００１２】
また、第３の金具は、プレートを有しハンドル中央に固定されるハンドル固定部体と、上部付近がプレートに固定された軸状アーム部体からなっており、軸状アーム部体は、使用時に上方に引き出される入子式に伸縮可能な軸を有し、軸の上端部には、風防部の連結片を着脱自在に連結するための可動連結具を有している。（請求項５）
これによれば、屋根の可曲性部分をワンタッチで簡単に着脱することができ、また、使用時に乗員の顔の前に風防を対峙させ、不使用時には短く格納して視界の邪魔にならないようにすることができ、しかも可曲性部分の揺動運動を円滑にし、風圧の吸収、逃がしを効果的に行なうことができる。
【実施例１】
【００１３】
以下添付図面を参照して本考案の実施例を説明する。
図１ないし図３は本考案による自動車用屋根を装着した自転車を示し、図４ないし図１０は各部の詳細を示し、図１１と図１２は効果的な使用態様を例示している。
図１ないし３において、Ａは自転車、Ｂは本考案による自転車用屋根であり、本体（主屋根）１と、これを自転車に対して３点で取り付け支持する第１、第２および第３の金具２，３，４を備えている。
さらにこの実施例では、本体１と背中合わせをなし逆向きに張り出してリアキャリアの上方を覆うことが可能な比較的小面積の補助屋根１´を備えている。
【００１４】
前記本体１は、自転車乗員の背部から上部を経て前部までの上方を覆うように延在し、下半部が自転車に取り付けられるフレーム１ａとこれに張られたシェード１ｂからなっており、また、補助屋根１´も、フレーム１ａ´とこれに張られたシェード１ｂ´を備えている。
【００１５】
前記フレーム１ａは、左右２本の条体が先端において結ばれた全体として正面から見てきわめて長い長円状ないし逆Ｕ字状をなしているが、側面から見て楕円状ないし弓状のような曲率領域１０１を基本形として形成された剛質部分１０と、これから延在して図６（ａ）、（ｂ）のように直線状から楕円状(湾曲状)に変形自在な可曲性部分１１から構成され、しかも可曲性部分１１は剛質部分１０との関係で長さ可変となっている。剛質部分１０は、この実施例では、できるだけ乗員の背に近い位置から立ち上がり背もたれとしても機能できるよう、ある長さで直線に近い領域１００を有している。
【００１６】
前記剛質部分１０は、図５のように、左右の幅は後端部が最も狭く、それから先が先端部に至るまで漸次拡がっており、可曲性部分１１は先端にいたるまでほぼ同じ幅か若干広がった幅となっている。
そして、剛質部分１０の先端から所要の長さ下の部位まで、すなわち直線状領域１００にかけてもう１本の短い補助剛質部材１２が平行状に添接固定されており、この補助剛質部材１２を固定した領域は、使用時に背もたれを兼ねさせるべく帯板などからなる剛質の横部材１３で連結されている。横部材１３はウレタンなどの軟質部材で覆われていてもよい。
【００１７】
前記剛質部分１０は、具体的には、鉄系、アルミニウム系など強度の良好なたとえば直径１０〜１５ｍｍ、長さ１６００ｍｍ程度のパイプ材から構成されている。パイプ材はたとえば短径約３５０ｍｍ、長径約５５０ｍｍの楕円状領域と、これから接線方向に約４５０ｍｍ程度延出した直線的領域を有しており、直線的領域に補助剛質部材１２としてのパイプを平行状に添接固定している。この固定はバンド様金具でもよいし、溶接でもよい。
なお、パイプ材の後端は開口ままでもよいが、左右の開きを防止するため、この実施例では、Ｕ状棒１４を差し込んでいる。
【００１８】
可曲性部分１１は、グラスファイバー，合成樹脂、金属質の線ないし棒状材料などで作られ、腰が強く柔軟で可撓性・弾性変形の自在性に富むたとえば直径３〜７ｍｍ程度、長さ１５００〜１６００ｍｍの左右２本の骨１１０，１１０で構成されている。
それら骨１１０，１１０は、図４のように、後端部分から前記剛質部分１０を構成するパイプ材の上端から内部に進退自在に挿入され、長さが可変となっている。
前記補助屋根１´のフレーム１ａ´は、グラスファイバーなどで代表される軽量で可撓性に富む材料の２本の骨１１０´、１１０´で構成され、やはり前記補助パイプ１２、１２に挿脱自在となっている。
【００１９】
前記シェード１ｂは、防水性と遮光性を有する合成樹脂シートや布から作られ、少なくともサドルレベルより高位で乗員の背部から先の可曲性部分１１に張られている。
この張り方は任意であるが、前述のように可曲性部分１１が剛質部分１０に対して伸縮自在であることから、シェード１ｂは幅方向両端に左右の骨を包囲するように筒部を設け、可曲性部分１１の短縮時に図５のように折り畳まれ、伸長時に繰り出すことでピンと張られるようになっている。
そして好適には、シェード１ｂの後端部には、図５の仮想線で示すように折り畳んだシェードを巻装して体裁をよくする垂れ部１ｂ１を連接しておく。
【００２０】
前記可曲性部分１１の先端部分すなわち自転車のハンドルに連結されるフレーム先端部分には、風防部１４が設けられている。
詳述すると、風防部１４は、Ｕ字状に形成したアルミニウムなどの軽量性の枠パイプ１４０にアクリルなどのプラスチック板１４１の周縁を留め具１４２にて固定してなり、枠パイプ１４０の後端部は可曲性部分１１を構成する左右の骨に嵌合固定され、一体化している。
そして、風防部１４の先端中央部位には、自転車Ａのハンドル中央部に樹立された第３の金具４に対する連結片１４３たとえばリングが枢動可能に取り付けられている。
補助屋根１´のフレーム１ａ´も先端部にＵ字状に形成したアルミニウムなどの軽量性パイプ１４０´を有し、これに２本の骨１１０´、１１０´が連結されており、これらの骨１１０´、１１０´により補助屋根は湾曲させた状態で軽量性パイプ１４０´の先端中央部に取り付けた連結片１４３´が、買い物籠あるいはチャイルドシートＣから延びる可曲性連結片ｃなどによりに連結されるようになっている。
【００２１】
前記フレーム１ａは、図１と図２のように、剛質部分１０であるパイプ材の直線領域１００の先端が自転車Ａのサドルａ１のレベルより上方、好適には乗員の肩レベルよりやや下の位置に位置するように配置され、それから湾曲した左右のパイプ体がサドルの近傍後方を通って弓状に下降し、バックステーａ２の両側から下位部分を交差状に横切り、最も幅狭の下端部位がダウンパイプａ３の前輪に近い位置に至っている。
【００２２】
そして、剛質部分１０の下端部分が、第１の金具２でダウンパイプａ３に緊締固定されている。第１の金具２とこれの固定状態は図７に示されており、ダウンパイプａ３及び左右パイプと直交状に位置される帯プレート２０と、反対側たとえば下側からダウンパイプ及び左右パイプを取り巻き帯プレート２０の両端部に設けた通孔にねじ部が突出されるＵボルト２１と、これと螺合して締め付けるための蝶ねじのごときナット部材２２からなっている。
【００２３】
そして、剛質部分１０の中間領域正確には直線状領域１００の端部部位が、サドルａ１のシートポストａ４が差し込まれているバックステーａ５のサドルロックａ６に組み込んだ第２の金具３により支持されている。
第２の金具３は、図８のように、Ｕ字状をなし所定間隔で調整用穴３００を配した並行状の縦向き第１アーム３０と、調整用の穴３１０を所定間隔で有し、選択した穴を利用して第１アーム３０にボルト３2で連結され、リアキャリア方向に延出するように横方向に延びる平面コ字状の第２アーム３１とを備えている。
【００２４】
前記第１アーム３０はこの実施例ではバックステーと泥除けの間のスペースに位置され、片側のアーム板３０ａの調整穴がサドルロックａ６を構成するロックボルト頭部ａ６１下の軸に嵌められ、他側のアーム板３０ｂの調整穴がロックボルトと螺合したハンドル付きナットａ６２に嵌められることで取り付けられている。
第２アーム３１はシートポストａ４の両側方から延出し、端部プレート３１１が背もたれ用横部材１３より下の左右パイプ材を結合した横プレート１５と当接し、ボルトナット３４で連結される。これにより、フレーム１ａの中間部分がしっかりと自転車の車体に組み付けられる。
【００２５】
第２金具３をこのような構造にすることにより、対象の自転車の改造や特別な部品の取り付けなど構造の変更を全く要さず、取り付け対象の自転車のサイズが変化しても自在にフレームを取り付けることができ、特に第１アーム３０がバックステーa２と平行に近い角度で縦に存し、調整穴を選択してサドルロックa６に取り付けるので、サドルa１の高さを変化させても剛質部分１０がサドルa１に衝突するようなことがない。
【００２６】
本考案は、以上のようにフレーム１aのほぼ半長を占める剛質部分１０を自転車の車体に深くかみ合わせ、その端部を含む２箇所を金具２，３で固定するので、自転車との強固な一体化を図ることができ、強風をうけても屋根が飛んでしまったりすることが防止され、しかも曲率状をなしているので自転車車体の形状にうまくマッチし、違和感を生じさせない。
【００２７】
前記可曲性部分１１の先端部分すなわち風防部１４は、自転車のハンドルａ７の中央位置に取り付けた第３の金具４により左右方向揺動可能に連結される。
この第３の金具４は、図１０に詳細が示されており、ハンドルポストａ８の上端のハンドル中央に対するハンドル固定部体４０と、これを貫通し上部付近が固定された軸状アーム部体４１からなっており、ハンドル固定部体４０はハンドルａ７の中央の膨出部ａ７１に対する凹部を有するプレート４００と、これの左右部位に後端部がねじ留めされハンドル巻き固定バンド４０１とを有している。軸状アーム部体４１は、前記プレート４００を貫通し溶接などにより固定されることが好ましい固定パイプ４１０と、この固定パイプに入子式に伸縮可能な軸４１１を有し、固定パイプ４１０は３００ｍｍ程度の長さを有し、ハンドルの高さよりたとえば５ｃｍ程度高めに先端が位置している。
【００２８】
固定パイプ４１０は鉛直状に延び、下端部が、ヘッドパイプａ９の上端に基端が固定されて前方に延在する前かご支持用ブラケットａ１０の長穴に挿入されることで外れ止めされている。場合によってはさらにＵボルトなどによりハンドルポストと連結してもよい。
前記軸４１１はたとえば３３０ｍｍといった長さを有し、使用時には固定パイプ４１０から大きく上方に引き出されるが、軸の上端部には、風防部１４の先端の連結片１４３を着脱自在に連結するための可動連結具４３を有している。可動連結具４３は、たとえば軸にはめられた環４３０とこれに交合し開閉自在なリング４３１たとえばカラビナからなっている。
【００２９】
シェード１ｂの基端部に垂れ片１ｂ１を設け、これに面状ファスナーを取り付けておいた場合には、屋根として使用しないときに折り畳んだシェード１ｂをきれいに巻いておくことができ、また、降雨時に補助屋根１´を使用するときに、図１１のように補助屋根１´のシェード１ｂ´に載せてこれに設けておいた面ファスナーと接着することにより円滑に雨水を排出させることができる。
【００３０】
本考案の自転車用屋根の組み立て方と装備の仕方を説明すると、第２の金具３をバックステー２２のサドルロックａ６に取り付ける。この場合、後部にチャイルドシートまたは荷物カゴが設置されているときは、シートポストａ４とチャイルドシート・荷物カゴの位置との間に設置できるように角度・長さを考慮して取り付けるが、これは第２の金具３が、図８と図９のように縦向き第１アーム３０と平面コ字状の第２アーム３１から構成されているため簡単に調整できる。
【００３１】
フレーム１ａの剛質部分１０を構成する左右のパイプ体をバックステーa５からダウンパイプａ３に至るように配置し、ダウンパイプａ３に伸びたパイプ体の端部を第１の金具２で図７のように固定する。
また、剛質部分１０の上端部分を前記第２の金具３により図９のように固定し、フレーム１ａの剛性質部分を自転車と一体化させる。ついで、フレーム１aの可曲部分１１を構成する骨１１０，１１０を、剛質部分１０の左右パイプに差込む。この差込みはシェード１ｂを骨に沿って手繰って折畳みながら行なえばよく、この状態が図２（ａ）である。
【００３２】
一方、ハンドルａ７に図１０のように第３の金具４を取り付けておき、可曲性部分１１を引き出し、第３の金具４の軸４１１を十分に伸ばし、これの先端にある可動連結片４３に風防部１４の連結片１４３を連結する。可曲性部分１１は十分な長さを有しているので、乗員の座高に即した最適な大きさに調整することができる。これで図２（ｂ）の状態になる。
後方のチャイルドシートや買い物籠の日除けや防水を必要とするときには、補助屋根１´を用意し、可曲性の骨１１０´、１１０´を剛質部分１０に固定されている補助パイプ１２，１２に挿入し、前方のシェードと同様にシェード１ｂ´を必要長延ばして子供や買い物籠の大きさにあうように湾曲させ、連結部材１４３´をチャイルドシートや買い物籠にかける。これで図１、図１１の状態になる。
【００３３】
使用時には通常の自転車のようにサドルａ１に腰を下ろし、ハンドルａ７に両手をおいて進行するものであり、図２（ｂ）と図３のように背部から頭上及びその先がシェードｂ１により覆われ、顔面の前方には風防部１４が位置しているので、日差しや雨を避けることができる。
風防部１４の先端中央部が第３の金具４の軸状アーム部体４によりハンドル中央の主軸線上に支持されているため、ハンドルａ７を回転させて進行方向を変換してもシェードｂ１の位置が常に自転車の中心線上にあって左右にぶれにくく、運転者の胸部から上の領域を常に確実に覆うことができる。
【００３４】
また、屋根フレーム１は、ほぼ半長の剛質部分１０が湾曲していて下端と上端部域とが自転車のフレームにおいて枢要なダウンパイプa3とバックステーａ２に第１と第２の金具２,３で２箇所が固定されるので、強風などを受けても安定しており、これに対して、シェード1ｂは可曲性部分１１としてのが柔軟で可撓性のある骨に張られ、前記のように前端が１本の軸状アーム部体４１によりハンドル中央の主軸線上に揺動可能に支持されているので、運転時に前方から風圧を受けたときに屋根に強圧がかからず、図３の矢印で示すように骨の左右方向での可転、角度変化などの弾性変形により自在に圧力を逃がすことができる。したがって、運転時の過剰な風圧を避けることができる。
【００３５】
そして、前記のようにフレーム１の剛質部分１０の上部部分がちょうど運転者の背の部分にあり、この部分に補強剛性部分としてのパイプ１２が並列状に固定されて強度が補強され、それらに交差状に連結部材１３が渡されているので、運転中などに後方に体重を移動すれば、背もたれとして機能させることもできる。
そして、駐輪するときなど屋根として使用しないときには、風防部１４と第３の金具４の軸状アーム部体４１との連結を解き、可曲性部分１１のシェードｂ１を骨に沿って移動させつつ骨を剛質部分１０のパイプ中に侵入させるもので、これによりシェードが図２（ａ）のような格納状態となるので、邪魔にならず、転倒も防止できる。駐輪を終えて再び走行するときには、可曲性部分１１を引き出し、風防部１４を第３の金具４の軸状アーム部体４１に連結する簡単な操作で、屋根付自転車として機能できる。
【００３６】
なお、本考案の自転車用屋根は全体が曲率状をなして車体に装備され一体感を創成しているので形状が優美でユニークで存在そのものが目立ち、その上、文字、図形、記号など所望の種々の表記６を印刷したシェードをフレームに張ることができるので、宣伝広告媒体としても利用することができる。図１２（ａ）は走行中の状態であり、視覚的に注目を集めさせることができる。（ｂ）は風防部１４と第３の金具４との連結を解いた状態であり、可曲性部分１１は弾性によりほぼ垂直状に立つので、ノボリあるいは「捨て看板代替品」として使用することでイベント会場などでの各種案内や広告に効果をもたらすことができる。
【００３７】
なお図示するものはあくまでも本考案の数例であり、これに限定されるものではなく種々の変形や応用が可能である。
１）シェードは、フレームに対して面ファスナーやホックなどで着脱可能に装着されてもよい。
２）シェードは幅方向両側に側面用フードを着脱できるようにしてもよい。
【図面の簡単な説明】
【００３８】
【図１】本考案による自転車用屋根の一例を使用状態で示す斜視図、（ｂ）は同じく背方から見た斜視図である。
【図２】（ａ）は補助屋根を使用しない本考案による自転車用屋根を格納状態で示す側面図、（ｂ）は使用状態の側面図である。
【図３】使用状態の正面図である。
【図４】本考案における屋根を単体の状態と分解状態で示す斜視図である。
【図５】（ａ）は本考案における屋根単体をシェード格納状態で示す正面図、（ｂ）は側面図である。
【図６】（ａ）は本考案における屋根単体をシェード伸長状態で示す斜視図、（ｂ）は使用のため湾曲させた状態の斜視図である。
【図７】（ａ）は本考案における屋根フレーム剛性質部分の端末と自転車フレームとの固定関係を示す部分的斜視図、（ｂ）は同じくその側面図である。
【図８】（ａ）は本考案における第２金具とフレームの取り合いを示す平面図、（ｂ）は第２金具の側面図である。
【図９】（ａ）は本考案における第２金具を使用して屋根フレームの剛性質部分をサドル下部位に取り付け固定した状態を示す側面図、（ｂ）はその正面側から見た斜視図である。
【図１０】（ａ）は本考案における屋根先端支持用の第３金具を示す斜視図、（ｂ）はその側面図、（ｃ）は平面図である。
【図１１】補助屋根の好適な使用状態を示す斜視図である。
【図１２】（ａ）は屋根に宣伝広告媒体の装飾を施して使用している状態の斜視図、（ｂ）はノボリ的な使用状態の斜視図である。
【符号の説明】
【００３９】
Ａ  自転車
Ｂ  本考案の屋根
１  本体（主屋根）
１´補助屋根
１a、１a´ フレーム
１ｂ、1ｂ´シェード
２  第１の金具
３  第２の金具
４  第３の金具
１０  剛質部分
１１  可曲性部分
１２  補助剛質部材（補助パイプ）
１４  風防部
１５  横プレート  
１１０、１１０´  骨
２０  帯プレート
２１  Ｕボルト
２２  ナット部材
３０  第１アーム
３０ａ  片側アーム板
３０ｂ  他側アーム板
３００，３１０  調整用穴
３１  第２アーム
４０  ハンドル固定部体
４１  軸状アーム部体
４１１  軸
４３  可動連結具
ａ２  バックステー
ａ３  ダウンパイプ
ａ６ サドルロック
ａ６１  ロックボルト頭部
ａ６２  ハンドル付きナット
ａ７ ハンドル
ａ８  ハンドルポスト
【図１】
0003139173.tif 000003
【図２】
0003139173.tif 000004
【図３】
0003139173.tif 000005
【図４】
0003139173.tif 000006
【図５】
0003139173.tif 000007
【図６】
0003139173.tif 000008
【図７】
0003139173.tif 000009
【図８】
0003139173.tif 000010
【図９】
0003139173.tif 000011
【図１０】
0003139173.tif 000012
【図１１】
0003139173.tif 000013
【図１２】
0003139173.tif 000014